(57)【要約】【課題】鉄道用電力系統の停電区間を確実に検出することができる鉄道用電気設備の監視制御システムを得ること。【解決手段】ネットワーク３を介して鉄道用電力系統４の電気設備を監視制御する鉄道用電気設備の監視制御システム１であって、遠隔制御対象の遠制機器９の状態を示す遠制機器状態情報、および、遠隔制御対象外の非遠制機器１０の状態を示す非遠制機器状態情報に基づいて、電車線７の停電区間、および、沿線設備に電力を供給する高圧配電線８の停電区間を検出する監視制御装置２と、電車線７あるいは高圧配電線８のうちの一方あるいは両方に電力を供給する変電所５に設けられ、ネットワーク３を介して遠制機器状態情報を監視制御装置２に送信する遠制子局６と、を備える。【選択図】図１
2013102602.tif 000002
【特許請求の範囲】
【請求項１】
ネットワークを介して鉄道用電力系統の電気設備を監視制御する鉄道用電気設備の監視制御システムであって、
遠隔制御対象の遠制機器の状態を示す遠制機器状態情報、および、遠隔制御対象外の非遠制機器の状態を示す非遠制機器状態情報に基づいて、電車線の停電区間、および、沿線設備に電力を供給する高圧配電線の停電区間を検出する監視制御装置と、
前記電車線あるいは前記高圧配電線のうちの一方あるいは両方に電力を供給する変電所に設けられ、前記ネットワークを介して前記遠制機器状態情報を前記監視制御装置に送信する遠制子局と、
を備えることを特徴とする鉄道用電気設備の監視制御システム。
【請求項２】
前記監視制御装置は、
前記遠制機器の状態を格納する遠制機器データベースと、
前記非遠制機器の状態を格納する非遠制機器データベースと、
前記電車線および前記高圧配電線の各区間毎にあらかじめ定義された停電条件を格納する停電条件データベースと、
前記電車線および前記高圧配電線の各区間毎の充停電状態を格納する充停電状態データベースと、
前記遠制機器状態情報に基づいて、前記遠制機器の状態変化を監視し、前記遠制機器の状態変化を検知した際に、前記遠制機器データベースを更新すると共に、前記非遠制機器状態情報に基づいて、前記非遠制機器の状態変更を監視し、前記非遠制機器の状態変更を検知した際に、前記非遠制機器データベースを更新する機器状態監視部と、
前記遠制機器データベース、前記非遠制機器データベース、および前記停電条件データベースを参照し、前記遠制機器および前記非遠制機器の状態と前記停電条件とを取得して、前記電車線および前記高圧配電線の各区間毎の充停電状態を判定し、前記充停電状態データベースを更新する充停電区間判定部と、
を備えることを特徴とする請求項１に記載の鉄道用電気設備の監視制御システム。
【請求項３】
前記充停電区間判定部は、
前記停電条件が１つ存在する区間では、前記停電条件と前記遠制機器および前記非遠制機器の状態とが一致した場合に、当該区間を停電区間と判定し、前記停電条件と前記遠制機器および前記非遠制機器の状態とが一致しない場合に、当該区間を充電区間と判定し、
前記停電条件が２つ以上存在する区間では、全ての前記停電条件と前記遠制機器および前記非遠制機器の状態とが一致した場合に当該区間を停電区間と判定し、いずれか一つ以上の前記停電条件と前記遠制機器および前記非遠制機器の状態とが一致しない場合に、当該区間を充電区間と判定する
ことを特徴とする請求項２に記載の鉄道用電気設備の監視制御システム。
【請求項４】
前記監視制御装置は、前記充停電状態データベースを参照し、前記各区間毎の充停電状態を取得して画面表示を行う画面表示部をさらに備えることを特徴とする請求項２または３に記載の鉄道用電気設備の監視制御システム。
【請求項５】
前記監視制御装置は、前記充停電状態データベースを参照し、前記各区間毎の充停電状態を取得して充停電情報として送信する充停電情報送信部をさらに備えることを特徴とする請求項２〜４のいずれか一項に記載の鉄道用電気設備の監視制御システム。
【請求項６】
鉄道用電力系統の電気設備を監視制御する鉄道用電気設備の監視制御装置であって、
遠隔制御対象の遠制機器の状態を格納する遠制機器データベースと、
遠隔制御対象外の非遠制機器の状態を格納する非遠制機器データベースと、
電車線の各区間毎、および、沿線設備に電力を供給する高圧配電線の各区間毎に、あらかじめ定義された停電条件を格納する停電条件データベースと、
前記電車線および前記高圧配電線の各区間毎の充停電状態を格納する充停電状態データベースと、
前記遠制機器の状態を示す遠制機器状態情報に基づいて、前記遠制機器の状態変化を監視し、前記遠制機器の状態変化を検知した際に、前記遠制機器データベースを更新すると共に、前記非遠制機器の状態を示す非遠制機器状態情報に基づいて、前記非遠制機器の状態変更を監視し、前記非遠制機器の状態変更を検知した際に、前記非遠制機器データベースを更新する機器状態監視部と、
前記遠制機器データベース、前記非遠制機器データベース、および前記停電条件データベースを参照し、前記遠制機器および前記非遠制機器の状態と前記停電条件とを取得して、前記電車線および前記高圧配電線の各区間毎の充停電状態を判定し、前記充停電状態データベースを更新する充停電区間判定部と、
を備えることを特徴とする鉄道用電気設備の監視制御装置。
【請求項７】
前記充停電区間判定部は、
前記停電条件が１つ存在する区間では、前記停電条件と前記遠制機器および前記非遠制機器の状態とが一致した場合に、当該区間を停電区間と判定し、前記停電条件と前記遠制機器および前記非遠制機器の状態とが一致しない場合に、当該区間を充電区間と判定し、
前記停電条件が２つ以上存在する区間では、少なくともいずれか１つ以上の前記停電条件と前記遠制機器および前記非遠制機器の状態とが一致した場合に当該区間を停電区間と判定し、全ての前記停電条件と前記遠制機器および前記非遠制機器の状態とが一致しない場合に、当該区間を充電区間と判定する
ことを特徴とする請求項６に記載の鉄道用電気設備の監視制御装置。
【請求項８】
前記充停電状態データベースを参照し、前記各区間毎の充停電状態を取得して画面表示を行う画面表示部をさらに備えることを特徴とする請求項６または７に記載の鉄道用電気設備の監視制御装置。
【請求項９】
前記充停電状態データベースを参照し、前記各区間毎の充停電状態を取得して充停電情報として送信する充停電情報送信部をさらに備えることを特徴とする請求項６〜８のいずれか一項に記載の鉄道用電気設備の監視制御装置。
【請求項１０】
遠隔制御対象の遠制機器の状態を示す遠制機器状態情報に基づいて、前記遠制機器の状態変化を監視すると共に、遠隔制御対象外の非遠制機器の状態を示す非遠制機器状態情報に基づいて、前記非遠制機器の状態変更を監視する機器状態監視ステップと、
前記遠制機器の状態変化、あるいは、前記非遠制機器の状態変更を検知した場合に、電車線の各区間毎、および、沿線設備に電力を供給する高圧配電線の各区間毎にあらかじめ定義された停電条件と、前記遠制機器および前記非遠制機器の状態とを照合して、前記電車線および前記高圧配電線の各区間毎の充停電状態を判定する充停電区間判定ステップと、
を有することを特徴とする鉄道用電力系統の停電区間検出方法。
【請求項１１】
前記充停電区間判定ステップにおいて、
前記停電条件が１つ存在する区間では、前記停電条件と前記遠制機器および前記非遠制機器の状態とが一致した場合に、当該区間を停電区間と判定し、前記停電条件と前記遠制機器および前記非遠制機器の状態とが一致しない場合に、当該区間を充電区間と判定し、
前記停電条件が２つ以上存在する区間では、少なくともいずれか１つ以上の前記停電条件と前記遠制機器および前記非遠制機器の状態とが一致した場合に当該区間を停電区間と判定し、全ての前記停電条件と前記遠制機器および前記非遠制機器の状態とが一致しない場合に、当該区間を充電区間と判定する
ことを特徴とする請求項１０に記載の鉄道用電力系統の停電区間検出方法。
【請求項１２】
請求項１０または１１に記載の鉄道用電力系統の停電区間検出方法を含み、
前記充停電状態を画面表示する画面表示ステップを有することを特徴とする鉄道用電力系統の停電区間通知方法。
【請求項１３】
前記充停電状態を充停電情報として送信する充停電情報送信ステップをさらに有することを特徴とする請求項１２に記載の鉄道用電力系統の停電区間通知方法。
【請求項１４】
請求項１０または１１に記載の鉄道用電力系統の停電区間検出方法を含み、
前記充停電状態を充停電情報として送信する充停電情報送信ステップを有することを特徴とする鉄道用電力系統の停電区間通知方法。
【発明の詳細な説明】
【技術分野】
【０００１】
本発明は、鉄道用電気設備の監視制御システム、監視制御装置、および鉄道用電力系統の停電区間検出方法ならびに停電区間通知方法に関する。
【背景技術】
【０００２】
従来、電車線における停電区間の検出方法として、例えば、監視システムにより検出されたき電遮断器の開情報に基づいて、当該開状態のき電遮断器に対向するき電遮断器の開閉状態を確認し、開状態であれば監視システムにより検出されたき電遮断器および対向き電遮断器に接続されたき電区間を停電区間として検出する技術が開示されている（例えば、特許文献１）。
【先行技術文献】
【特許文献】
【０００３】
【特許文献１】特開平９−３０１１７８号公報
【発明の概要】
【発明が解決しようとする課題】
【０００４】
しかしながら、上記従来技術では、監視システムが遠制子局を介して状態を取得可能な遠制機器のうち、き電遮断器の状態にのみ基づいて停電区間の検出を行っているため、信号機や電灯等の沿線設備に電力を供給する高圧配電線の停電区間を検出することができない。また、例えば、変電所内において隣接区間からの延長き電を行うために設けられたタイ断路器等のき電遮断器以外の遠制機器や、隣接する変電所間でき電区間を区分する区分断路器や遠制子局が設けられていない変電所のき電遮断器や断路器等の監視システムの遠隔制御対象外となっている非遠制機器の状態を考慮していないため、実際には停電している区間であっても停電していないと判断してしまう場合がある、という問題があった。
【０００５】
本発明は、上記に鑑みてなされたものであって、鉄道用電力系統の停電区間を確実に検出することができる鉄道用電気設備の監視制御システムを提供することを目的とする。
【課題を解決するための手段】
【０００６】
上述した課題を解決し、目的を達成するため、本発明にかかる鉄道用電気設備の監視制御システムは、ネットワークを介して鉄道用電力系統の電気設備を監視制御する鉄道用電気設備の監視制御システムであって、遠隔制御対象の遠制機器の状態を示す遠制機器状態情報、および、遠隔制御対象外の非遠制機器の状態を示す非遠制機器状態情報に基づいて、電車線の停電区間、および、沿線設備に電力を供給する高圧配電線の停電区間を検出する監視制御装置と、前記電車線あるいは前記高圧配電線のうちの一方あるいは両方に電力を供給する変電所に設けられ、前記ネットワークを介して前記遠制機器状態情報を前記監視制御装置に送信する遠制子局と、を備えることを特徴とする。
【発明の効果】
【０００７】
本発明によれば、鉄道用電力系統の停電区間を確実に検出することができる、という効果を奏する。
【図面の簡単な説明】
【０００８】
【図１】図１は、実施の形態にかかる鉄道用電気設備の監視制御システムの概略構成図である。
【図２】図２は、実施の形態にかかる鉄道用電気設備の監視制御システムの監視制御対象となる鉄道用電力系統の一例を示す図である。
【図３】図３は、実施の形態にかかる鉄道用電気設備の監視制御装置の一構成例を示す図である。
【図４】図４は、実施の形態にかかる鉄道用電気設備の監視制御装置の遠制機器データベースの一例を示す図である。
【図５】図５は、実施の形態にかかる鉄道用電気設備の監視制御装置の非遠制機器データベースの一例を示す図である。
【図６】図６は、実施の形態にかかる鉄道用電気設備の監視制御装置の停電条件データベースの一例を示す図である。
【図７】図７は、実施の形態にかかる鉄道用電気設備の監視制御装置の充停電状態データベースの一例を示す図である。
【図８】図８は、実施の形態にかかる鉄道用電力系統の停電区間検出方法および停電区間通知方法における処理手順の一例を示す図である。
【発明を実施するための形態】
【０００９】
以下に添付図面を参照し、本発明の実施の形態にかかる鉄道用電気設備の監視制御システム、監視制御装置、および鉄道用電力系統の停電区間検出方法ならびに停電区間通知方法について説明する。なお、以下に示す実施の形態により本発明が限定されるものではない。
【００１０】
実施の形態．
図１は、実施の形態にかかる鉄道用電気設備の監視制御システムの概略構成図である。図１に示すように、実施の形態にかかる鉄道用電気設備の監視制御システム１は、実施の形態にかかる監視制御装置２と、監視制御装置２が接続されるネットワーク（図１に示す例では、ＬＡＮ）３と、そのネットワーク３に接続される遠制子局６とを含み構成される。
【００１１】
遠制子局６は、監視制御システム１における監視制御対象となる鉄道用電力系統４に含まれる各変電所５に設けられ、監視制御装置２の遠隔制御対象となる遠制機器９の状態が変化した際に、ネットワーク３を介して、遠制機器９の状態を示す遠制機器状態情報を監視制御装置２に送信する。
【００１２】
各変電所５は、本実施の形態にかかる鉄道用電気設備の監視制御システム１の停電区間検出対象である電車線７に電力を供給すると共に、同様に本実施の形態にかかる鉄道用電気設備の監視制御システム１の停電区間検出対象であり、信号機等の沿線設備に電力を供給する高圧配電線８に電力を供給する。なお、図１に示す例では、電車線７および高圧配電線８の両方に各変電所５から電力を供給する例を示したが、電車線７あるいは高圧配電線８のうちの一方に電力を供給する変電所を鉄道用電力系統４に含んでいてもよい。
【００１３】
監視制御装置２は、遠制子局６から送信される遠制機器状態情報と、監視制御装置２の遠隔制御対象外となっている非遠制機器１０の状態を示す非遠制機器状態情報とに基づいて、電車線７および高圧配電線８の停電区間を検出する。なお、非遠制機器１０の状態を示す非遠制機器状態情報は、例えば、監視制御装置２、遠制子局６、あるいはネットワーク３に接続された情報端末（図示せず）から、随時変更するようにすればよい。
【００１４】
図２は、実施の形態にかかる鉄道用電気設備の監視制御システムの監視制御対象となる鉄道用電力系統の一例を示す図である。なお、本実施の形態では、上述したように、図１に示した電車線７に加え、信号機等の沿線設備に電力を供給する高圧配電線８をも停電区間検出対象としているが、ここでは、説明を容易とするため、高圧配電線８を停電区間検出対象とした場合の説明は省略する。
【００１５】
図２に示すように、各変電所５ａ〜５ｃには、それぞれ遠制子局６が設けられている。また、下り側電車線７ａおよび上り側電車線７ｂからなる電車線７は、セクションにより複数のき電区間１００ａ〜１００ｈに分割され、各き電区間１００ａ〜１００ｈは、各変電所５ａ，５ｂ，５ｃ内の各き電遮断器２００ａ〜２００ｄ，３００ａ〜３００ｄ，４００ａ〜４００ｄに接続される。
【００１６】
図２に示す例では、き電区間１００ａは、変電所５ａ内のき電遮断器２００ａに接続されている。また、き電区間１００ｂは、変電所５ａ内のき電遮断器２００ｂに接続されている。また、き電区間１００ｃは、変電所５ａ内のき電遮断器２００ｃおよび変電所５ｂ内のき電遮断器３００ａに接続されている。また、き電区間１００ｄは、変電所５ａ内のき電遮断器２００ｄおよび変電所５ｂ内のき電遮断器３００ｂに接続されている。また、き電区間１００ｅは、変電所５ｂ内のき電遮断器３００ｃおよび変電所５ｃ内のき電遮断器４００ａに接続されている。また、き電区間１００ｆは、変電所５ｂ内のき電遮断器３００ｄおよび変電所５ｃ内のき電遮断器４００ｂに接続されている。また、き電区間１００ｇは、変電所５ｃ内のき電遮断器４００ｃに接続されている。また、き電区間１００ｈは、変電所５ｃ内のき電遮断器４００ｄに接続されている。
【００１７】
また、図２に示す例では、変電所５ｂ内に、き電区間１００ａおよびき電区間１００ｃの間で延長き電を行う断路器（タイ断路器）５００ａが設けられ、き電区間１００ｂおよびき電区間１００ｄの間で延長き電を行う断路器（タイ断路器）５００ｂが設けられている。これら各断路器５００ａ，５００ｂおよび上述した各き電遮断器２００ａ〜２００ｄ，３００ａ〜３００ｄ，４００ａ〜４００ｄは、図１に示す遠制機器９に相当し、各変電所５ａ〜５ｃに設けられた配電盤（図示せず）および遠制子局６を介して、監視制御装置２から遠隔制御および監視が可能な機器である。
【００１８】
また、図２に示すように、例えば、き電区間１００ａを変電所５ａ側と変電所５ｂ側とに区分する断路器（区分断路器）５００ｃが接続されている場合がある。このように、各変電所５ａ〜５ｃの外部に設けられている機器や、遠制子局６が設けられていない変電所（図示せず）のき電遮断器や断路器等は、図１に示す非遠制機器１０に相当し、監視制御装置２の遠隔制御対象外となっている機器である。
【００１９】
つぎに、実施の形態にかかる鉄道用電気設備の監視制御装置の構成および各構成部について、図１〜図７を参照して説明する。図３は、実施の形態にかかる鉄道用電気設備の監視制御装置の一構成例を示す図である。図３に示すように、実施の形態にかかる鉄道用電気設備の監視制御装置２は、機器状態監視部１１、充停電区間判定部１２、画面表示部１３、充停電情報送信部１４、遠制機器データベース１５、非遠制機器データベース１６、停電条件データベース１７、および充停電状態データベース１８を備え構成される。
【００２０】
図４は、実施の形態にかかる鉄道用電気設備の監視制御装置の遠制機器データベースの一例を示す図である。図４に示すように、遠制機器データベース１５には、各遠制機器９（すなわち、例えば図２に示す各き電遮断器２００ａ〜２００ｄ，３００ａ〜３００ｄ，４００ａ〜４００ｄおよび各断路器５００ａ，５００ｂ）毎に、各遠制機器９が配備された変電所と、現時点における各遠制機器９の状態（つまり、例えば各き電遮断器２００ａ〜２００ｄ，３００ａ〜３００ｄ，４００ａ〜４００ｄおよび各断路器５００ａ，５００ｂの開閉状態）とが関連付けられて格納される。
【００２１】
図５は、実施の形態にかかる鉄道用電気設備の監視制御装置の非遠制機器データベースの一例を示す図である。図５に示すように、非遠制機器データベース１６には、各非遠制機器１０（すなわち、例えば図２に示す断路器５００ｃ）毎に、各非遠制機器１０が配備されたき電区間（すなわち、例えば断路器５００ｃが配備されたき電区間１００ｄ）と、現時点における各非遠制機器１０の状態（つまり、例えば断路器５００ｃの開閉状態）とが関連付けられて格納される。
【００２２】
図６は、実施の形態にかかる鉄道用電気設備の監視制御装置の停電条件データベースの一例を示す図である。図６に示すように、停電条件データベース１７には、各き電区間（すなわち、例えば図２に示す各き電区間１００ａ〜１００ｈ）毎にあらかじめ定義された停電条件と、各き電区間に含まれる駅とが関連付けられて格納されている。
【００２３】
例えば、図２および図６に示す例では、き電区間１００ａでは、変電所５ａのき電遮断器２００ａが開放している場合には、他にき電区間１００ａに電力を供給する経路がないので、停電区間となる。つまり、各き電区間毎に定義された停電条件と各遠制機器９の状態および各非遠制機器１０の状態とが一致する場合には、そのき電区間が停電区間であると判定する。
【００２４】
なお、図２および図６に示す例では、き電区間１００ｃでは、（ａ）および（ｂ）の２つの停電条件が存在するが、停電条件（ａ）および停電条件（ｂ）のうち、少なくともいずれか一方が一致している場合には、き電区間１００ｃに電力を供給する経路が存在しないこととなるので、停電区間であると判定することができる。つまり、停電条件が１つ存在するき電区間では、停電条件と遠制機器９および非遠制機器１０の状態とが一致した場合に、当該き電区間を停電区間と判定し、停電条件と遠制機器９および非遠制機器１０の状態とが一致しない場合に、当該き電区間を充電区間と判定し、停電条件が２つ以上存在するき電区間では、少なくともいずれか１つ以上の停電条件と遠制機器９および非遠制機器１０の状態とが一致した場合に、当該き電区間を停電区間と判定し、全ての停電条件と遠制機器９および非遠制機器１０の状態とが一致しない場合に、当該き電区間を充電区間と判定する。
【００２５】
図７は、実施の形態にかかる鉄道用電気設備の監視制御装置の充停電状態データベースの一例を示す図である。図７に示すように、充停電状態データベース１８には、各き電区間（すなわち、例えば図２に示す各き電区間１００ａ〜１００ｈ）毎に、現時点における充停電状態と、各き電区間に含まれる駅とが関連付けられて格納される。
【００２６】
機器状態監視部１１は、遠制子局６から送信される遠制機器状態情報に基づいて、各遠制機器９の状態変化（つまり、例えば各き電遮断器２００ａ〜２００ｄ，３００ａ〜３００ｄ，４００ａ〜４００ｄおよび各断路器５００ａ，５００ｂの開閉状態の変化）を監視すると共に、非遠制機器１０の状態を示す非遠制機器状態情報に基づいて、各非遠制機器１０の状態変更（つまり、例えば断路器５００ｃの開閉状態の変更）を監視し、遠制機器９の状態変化を検知した場合、遠制機器データベース１５を更新し、非遠制機器１０の状態変更を検知した場合、非遠制機器データベース１６を更新すると共に、充停電区間判定部１２に機器状態更新通知を送信（つまり、充停電区間判定部１２に遠制機器データベース１５あるいは非遠制機器データベース１６を更新したことを通知）する。
【００２７】
充停電区間判定部１２は、機器状態監視部１１から機器状態更新通知を受信した場合、遠制機器データベース１５および非遠制機器データベース１６を参照して、遠制機器９および非遠制機器１０の状態を取得すると共に、停電条件データベース１７を参照して、各き電区間（すなわち、例えば図２に示す各き電区間１００ａ〜１００ｈ）毎に定義された停電条件を取得し、取得した遠制機器９および非遠制機器１０の状態と停電条件とを照合し、当該き電区間が停電区間であるか否かを判定して、充停電状態データベース１８を更新し、画面表示部１３および充停電情報送信部１４に充停電状態更新通知を送信（つまり、画面表示部１３および充停電情報送信部１４に充停電状態データベース１８を更新したことを通知）する。
【００２８】
画面表示部１３は、充停電区間判定部１２から充停電状態更新通知を受信した場合、充停電状態データベース１８を参照し、各き電区間毎の充停電状態を取得して画面表示を行う。
【００２９】
充停電情報送信部１４は、充停電区間判定部１２から充停電状態更新通知を受信した場合、充停電状態データベース１８を参照し、各き電区間毎の充停電状態を取得して、例えば運行管理システムや設備監視システム等の他システムに充停電情報として送信する。
【００３０】
本実施の形態では、各変電所の外部に設けられている機器、あるいは遠制子局が設けられていない変電所のき電遮断器や断路器等、監視制御装置の遠隔制御対象外となっている非遠制機器の状態変更を監視し、区間毎にあらかじめ定義された停電条件と、遠制機器の状態および非遠制機器の状態とを照合して、各区間毎の充停電状態を判定する。つまり、き電遮断器の開閉状態だけでなく、き電遮断器以外の遠制機器の状態変化や非遠制機器の状態変更をも停電区間の検出に用いることにより、電車線の停電区間を確実に検出することができる。
【００３１】
また、本実施の形態では、電車線に加え、信号機等の沿線設備に電力を供給する高圧配電線も停電区間検出対象としている。つまり、電車線と同様に、遠隔制御および監視が可能な各変電所内に設けられた全ての遠制機器の状態変化、および、監視制御装置の遠隔制御対象外となっている非遠制機器の状態変更を停電区間の検出に用いることにより、高圧配電線の停電区間をも確実に検出することができる。
【００３２】
また、本実施の形態では、遠制機器の状態変化や非遠制機器の状態変更が生じた時点で、画面上に表示される区間毎の充停電状態が更新される。したがって、迅速に当該システムの指令員が停電区間を把握することができる。
【００３３】
また、本実施の形態では、遠制機器の状態変化や非遠制機器の状態変更が生じた時点で、区間毎の充停電状態が運行管理システムや設備監視システム等の他システムに充停電情報として送信される。これにより、当該システムの指令員が他システムの指令員に停電区間を連絡する手間がなくなり、その際に生じる連絡ミスや設備異常等の誤検出も防ぐことができる。より具体的には、運行管理システムでは、停電区間をより正確且つ迅速に表示することができ、また、沿線設備を監視する設備監視システムでは、停電による信号機等の異常を故障として検出することがあるが、例えば、作業に伴う計画停電等による信号機等の沿線設備の異常を故障として誤検出するのを防止することができる。
【００３４】
つぎに、実施の形態にかかる鉄道用電力系統の停電区間検出方法および停電区間通知方法について、図３〜図８を参照して説明する。図８は、実施の形態にかかる鉄道用電気設備の停電区間検出方法および停電区間通知方法における処理手順の一例を示す図である。
【００３５】
機器状態監視部１１は、各遠制機器９の状態変化および各非遠制機器１０の状態変更を監視し（ステップＳＴ１０１）、各遠制機器９の状態変化あるいは各非遠制機器１０の状態変更を検知するまで待機する（ステップＳＴ１０１；Ｎｏ）。各遠制機器９の状態変化あるいは各非遠制機器１０の状態変更を検知した場合（ステップＳＴ１０１；Ｙｅｓ）、機器状態監視部１１は、遠制機器データベース１５あるいは非遠制機器データベース１６を更新すると共に（ステップＳＴ１０２）、充停電区間判定部１２に機器状態更新通知を送信する（ステップＳＴ１０３）。
【００３６】
充停電区間判定部１２は、機器状態監視部１１から機器状態更新通知を受信すると（ステップＳＴ１０４）、遠制機器データベース１５および非遠制機器データベース１６を参照して、各遠制機器９および各非遠制機器１０の状態を取得すると共に（ステップＳＴ１０５）、停電条件データベース１７を参照して、各き電区間毎に定義された停電条件を取得し（ステップＳＴ１０６）、各き電区間毎に、取得した各遠制機器９および各非遠制機器１０の状態と停電条件とを照合して、当該き電区間が停電区間であるか否かを判定する（ステップＳＴ１０７）。
【００３７】
当該き電区間が停電区間である場合には（ステップＳＴ１０７；Ｙｅｓ）、充停電区間判定部１２は、充停電状態データベース１８上において該当するき電区間の充停電状態を「停電」に設定し（ステップＳＴ１０８）、当該き電区間が停電区間でなはい場合には（ステップＳＴ１０７；Ｎｏ）、充停電状態データベース１８上において該当するき電区間の充停電状態を「充電」に設定する（ステップＳＴ１０９）。そして、充停電区間判定部１２は、停電区間検出対象である全てのき電区間の充停電状態判定が完了したか否かを判定し（ステップＳＴ１１０）、停電区間検出対象である全てのき電区間の充停電状態判定が完了していなければ（ステップＳＴ１１０；Ｎｏ）、ステップＳＴ１０７の処理に戻り、停電区間検出対象である全てのき電区間の充停電状態判定が完了するまで、ステップＳＴ１０７〜ステップＳＴ１１０の処理を繰り返し実施する。停電区間検出対象である全てのき電区間の充停電状態判定が完了していれば（ステップＳＴ１１０；Ｙｅｓ）、充停電区間判定部１２は、画面表示部１３および充停電情報送信部１４に充停電状態更新通知を送信する（ステップＳＴ１１１）。
【００３８】
充停電区間判定部１２から充停電状態更新通知を受信すると（ステップＳＴ１１２）、画面表示部１３は、充停電状態データベース１８を参照し、各き電区間毎の充停電状態を取得して画面表示を行い、充停電情報送信部１４は、充停電状態データベース１８を参照し、各き電区間毎の充停電状態を取得して、例えば運行管理システムや設備監視システム等の他システムに充停電情報として送信し（ステップＳＴ１１３）、ステップＳＴ１０１の処理に戻り、ステップＳＴ１０１〜ステップＳＴ１１３の処理を繰り返し実施する。
【００３９】
以上説明したように、実施の形態の鉄道用電気設備の監視制御システム、監視制御装置、および鉄道用電力系統の停電区間検出方法ならびに停電区間通知方法によれば、遠隔制御および監視が可能な各変電所内に設けられた全ての遠制機器の状態変化、および、各変電所の外部に設けられている機器、あるいは遠制子局が設けられていない変電所のき電遮断器や断路器等、監視制御装置の遠隔制御対象外となっている非遠制機器の状態変更を監視し、区間毎にあらかじめ定義された停電条件と、遠制機器および非遠制機器の状態とを照合して、各区間毎の充停電状態を判定する、つまり、き電遮断器の開閉状態だけでなく、き電遮断器以外の遠制機器の状態変化や非遠制機器の状態変更をも停電区間の検出に用いるようにしたので、電車線の停電区間を確実に検出することができる。
【００４０】
また、電車線に加え、信号機等の沿線設備に電力を供給する高圧配電線も停電区間検出対象とし、電車線と同様に、遠隔制御および監視が可能な各変電所内に設けられた全ての遠制機器の状態変化、および、監視制御装置の遠隔制御対象外となっている非遠制機器の状態変更を停電区間の検出に用いるようにしたので、高圧配電線の停電区間をも確実に検出することができる。
【００４１】
また、遠制機器の状態変化や非遠制機器の状態変更が生じた時点で、画面上に表示される区間毎の充停電状態が更新されるので、迅速に当該システムの指令員が停電区間を把握することができる。
【００４２】
また、区間毎の充停電状態を運行管理システムや設備監視システム等の他システムに充停電情報として送信するようにしたので、当該システムの指令員が他システムの指令員に停電区間を連絡する手間がなくなり、その際に生じる連絡ミスや設備異常等の誤検出も防ぐことができる。より具体的には、運行管理システムでは、停電区間をより正確且つ迅速に表示することができ、また、沿線設備を監視する設備監視システムでは、停電による信号機等の異常を故障として検出することがあるが、例えば、作業に伴う計画停電等による信号機等の沿線設備の異常を故障として誤検出するのを防止することができる。
【００４３】
なお、上述した実施の形態では、区間毎の充停電状態の画面表示と充停電情報の他システムへの送信とを同時に行う例について説明しているが、いずれか一方を実施する構成とすることも可能である。
【００４４】
また、上述した実施の形態では、充停電状態データベースが更新された時点で他システムに充停電情報を送信する例について説明しているが、この充停電情報を送信するタイミングはこれに限らず、例えば、充停電状態データベースが更新されなくても、一定周期で送信するようにしてもよい。
【００４５】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００４６】
１  監視制御システム
２  監視制御装置
３  ネットワーク（ＬＡＮ）
４  鉄道用電力系統
５，５ａ，５ｂ，５ｃ  変電所
６  遠制子局
７  電車線
７ａ  下り側電車線
７ｂ  上り側電車線
８  高圧配電線
９  遠制機器
１０  非遠制機器
１１  機器状態監視部
１２  充停電区間判定部
１３  画面表示部
１４  充停電情報送信部
１５  遠制機器データベース
１６  非遠制機器データベース
１７  停電条件データベース
１８  充停電状態データベース
１００ａ〜１００ｈ  き電区間
２００ａ〜２００ｄ，３００ａ〜３００ｄ，４００ａ〜４００ｄ  き電遮断器
５００ａ，５００ｂ  断路器（タイ断路器）
５００ｃ  断路器（区分断路器）
【図１】
2013102602.tif 000003
【図２】
2013102602.tif 000004
【図３】
2013102602.tif 000005
【図４】
2013102602.tif 000006
【図５】
2013102602.tif 000007
【図６】
2013102602.tif 000008
【図７】
2013102602.tif 000009
【図８】
2013102602.tif 000010